(57)【要約】      （修正有）【課題】携帯性と形体保持性とを両立させる収納用布製品を提供する。【解決手段】収納用布製品１は、布地で形成された底面部３、側面部４、５、６、７及び頂面部２を備える。その収納用布製品は、側面部のうちの互いに対面配置された二つの側面部４，５の一方から他方に向かう方向に延在するように、底面部の周縁における対向する二箇所に取り付けられ、可塑性を有する第１の線状体５４と、底面部から頂面部に向かう高さ方向に延在するように側面部に取り付けられ、可塑性を有する第２の線状体５７と、を備える。【選択図】図１
2017124010.tif 000002
【特許請求の範囲】
【請求項１】
布地で形成された底面部、側面部及び頂面部を備える収納用布製品であって、
前記側面部のうちの互いに対面配置された二つの側面部の一方から他方に向かう方向に延在するように、前記底面部の周縁における対向する二箇所に取り付けられ、可塑性を有する第１の線状体と、
前記底面部から前記頂面部に向かう高さ方向に延在するように前記側面部に取り付けられ、可塑性を有する第２の線状体と、
を備える、
収納用布製品。
【請求項２】
前記高さ方向に延在するように前記側面部に取り付けられ、前記側面部を折り畳む又は引き伸ばすことで前記側面部の高さを調整する側面高さ調整部を更に備え、
前記第２の線状体は、前記側面部における前記側面高さ調整部に対向するように前記側面部に取り付けられた調整部線状体を含み、前記調整部線状体は、前記側面高さ調整部が前記側面部を折り畳む又は引き伸ばすことで折り畳まれ又は引き伸ばされるように構成されている、
請求項１に記載の収納用布製品。
【請求項３】
前記側面高さ調整部は、
前記側面部における上部及び下部のうちのいずれか一方に一端部が取り付けられた第１の紐状部材と、
前記第１の紐状部材の一端部と他端部との間に、前記第１の紐状部材の長さ方向に対して位置調整自在に取り付けられた連結部材と、
前記側面部における上部及び下部のうちの前記一方と異なる他方に一端部が取り付けられ、前記側面部の前記他方と前記連結部材との距離を一定に保持する第２の紐状部材と、
を備えており、
前記連結部材を固定しつつ前記第１の紐状部材の他端部を引っ張ることで、前記第１の紐状部材の一端部が前記連結部材に近づいて、前記第１の紐状部材の一端部が前記第２の紐状部材の一端部に近づいて前記側面部が折り畳まれて高さが低くなり、かつ、前記調整部線状体が折り畳まれ、
前記連結部材を固定しつつ前記第１の紐状部材の一端部を引っ張ることで、前記第１の紐状部材の一端部が前記連結部材から遠ざかり、前記第１の紐状部材の一端部が前記第２の紐状部材の一端部から遠ざかり前記側面部が引き伸ばされて高さが高くなり、かつ、前記調整部線状体が引き伸ばされる、
ように構成されている、
請求項２に記載の収納用布製品。
【請求項４】
前記頂面部は、
開口を有する頂面本体部と、
前記開口を覆う蓋部と、
前記頂面本体部と前記蓋部との間に取着されたスライドファスナーと、
前記頂面本体部及び前記スライドファスナーの少なくとも一つに取着され、可塑性を有する第３の線状体と、
を含み、
前記スライドファスナーの幅方向の一側縁部は前記頂面本体部の前記開口側の周縁部に沿って前記頂面本体部に取着され、
前記スライドファスナーの幅方向の他側縁部は前記蓋部の周縁部に沿って前記蓋部に取着され、
前記第３の線状体は前記頂面本体部の前記開口側の周縁部に沿い、かつ、前記スライドファスナーの一端部から他端部まで延在するように前記頂面本体部に取着されている、
請求項１乃至３のいずれか一項に記載の収納用布製品。
【請求項５】
前記スライドファスナーに沿い、かつ、前記スライドファスナーの一端部から他端部まで延在するように前記蓋部に取着された第４の線状体を更に備える、
請求項４に記載の収納用布製品。
【請求項６】
前記底面部、前記側面部及び前記頂面部を形成する前記布地の繊度は２０デニール以上、４２０デニール以下である、
請求項１乃至５のいずれか一項に記載の収納用布製品。
【発明の詳細な説明】
【技術分野】
【０００１】
本発明は、収納用布製品に関する。
【背景技術】
【０００２】
バッグのような収納用布製品では、布地など使用される材料が一般に軽量で柔らかい。そのため、収納用布製品を折り畳むことは比較的容易であり、その折り畳まれた収納用布製品を携帯したり、仕舞ったりすることができる。例えば、デイパックやダッフルバッグのようなバッグでは、柔らかでしなやかな布地、すなわち剛性の低い布地を用いており、バッグを容易に折り畳むことができ、容易に携帯などすることができる。
【０００３】
一方、携帯などされた収納用布製品を使用するときには、折り畳まれた収納用布製品を拡げて収納用布製品の本来の形体に戻して使用する必要がある。ここで、上述のように、収納用布製品で使用される材料は柔らかく変形し易いため、収納用布製品を拡げようとしても、すぐに型崩れを起こして、例えば底面部の布地が萎れたままであったり、側面部の布地が萎れて底面部に折り重なったままであったりする可能性がある。そうなると、物品を収納用布製品内に収納することが困難になる。加えて、少量の物品を収納した収納用布製品を持ち運ぼうとすると、下方に垂れ下がる箇所が発生するなど全体的に型崩れを起こして持ち運び難くなるおそれがある。特にデイパックやダッフルバッグのようなバッグでは、剛性の低い布地を用いているため、その影響は大である。
【０００４】
バッグの変形を抑える技術としては、特許文献１に、ソフトな素材で構成されたソフトバッグの型崩れを抑制する技術が開示されている。特許文献１の記載によれば、スポーツバッグ等のソフトバッグにおいて、生地相互の接合部に縫着されているパイピング内に弾性を有する金属線を収納することで、型崩れを抑制することができる。
【先行技術文献】
【特許文献】
【０００５】
【特許文献１】特開２００６−１０２１５３号公報
【発明の概要】
【発明が解決しようとする課題】
【０００６】
上記のように、収納用布製品は軽量で柔らかいため携帯性に優れているが、変形し易いために型崩れを起こし易く、すなわち本来の形状を保持することが困難であり、その収納用布製品に物品を収納するのが困難であったり、その収納用布製品を持ち運び難くなったりするおそれがある。
【０００７】
上述された特許文献１に記載の技術では、バッグの型崩れを抑制し、その形状を保持するために、弾性を有する金属線をパイピング（袋状部）内に収納している。しかし、この技術では、金属線として、金属の板バネや金属のコイルバネのような弾性体を使用し、その弾性体の弾性力を用いて形状を保持しようとするため、バッグを折り畳むことは困難であると推測され、携帯性が犠牲になると考えられる。
【０００８】
収納用布製品において、携帯性と形状保持性とを両立させることが可能な技術が望まれる。
【課題を解決するための手段】
【０００９】
本発明の収納用布製品は、布地で形成された底面部、側面部及び頂面部を備える収納用布製品であって、前記側面部のうちの互いに対面配置された二つの側面部の一方から他方に向かう方向に延在するように、前記底面部の周縁における対向する二箇所に取り付けられ、可塑性を有する第１の線状体と、前記底面部から前記頂面部に向かう高さ方向に延在するように前記側面部に取り付けられ、可塑性を有する第２の線状体と、を備える、収納用布製品である。
【００１０】
上記の収納用布製品は、前記高さ方向に延在するように前記側面部に取り付けられ、前記側面部を折り畳む又は引き伸ばすことで前記側面部の高さを調整する側面高さ調整部を更に備え、前記第２の線状体は、前記側面部における前記側面高さ調整部に対向するように前記側面部に取り付けられた調整部線状体を含み、前記調整部線状体は、前記側面高さ調整部が前記側面部を折り畳む又は引き伸ばすことで折り畳まれ又は引き伸ばされるように構成されている、収納用布製品であってもよい。
【００１１】
上記の収納用布製品は、前記側面高さ調整部が、前記側面部における上部及び下部のうちのいずれか一方に一端部が取り付けられた第１の紐状部材と、前記第１の紐状部材の一端部と他端部との間に、前記第１の紐状部材の長さ方向に対して位置調整自在に取り付けられた連結部材と、前記側面部における上部及び下部のうちの前記一方と異なる他方に一端部が取り付けられ、前記側面部の前記他方と前記連結部材との距離を一定に保持する第２の紐状部材と、を備えており、前記連結部材を固定しつつ前記第１の紐状部材の他端部側を引っ張ることで、前記第１の紐状部材の一端部が前記連結部材に近づいて、前記第１の紐状部材の一端部が前記第２の紐状部材の一端部に近づいて前記側面部が折り畳まれて高さが低くなり、かつ、前記調整部線状体が折り畳まれ、前記連結部材を固定しつつ前記第１の紐状部材の一端部を引っ張ることで、前記第１の紐状部材の一端部が前記連結部材から遠ざかり、前記第１の紐状部材の一端部が前記第２の紐状部材の一端部から遠ざかり前記側面部が引き伸ばされて高さが高くなり、かつ、前記調整部線状体が引き伸ばされる、ように構成されている、収納用布製品であってもよい。
【００１２】
上記の収納用布製品は、前記頂面部が、開口を有する頂面本体部と、前記開口を覆う蓋部と、前記頂面本体部と前記蓋部との間に、湾曲部分を有するように取着されたスライドファスナーと、前記頂面本体部及び前記スライドファスナーの少なくとも一つに取着され、可塑性を有する第３の線状体と、を含み、前記スライドファスナーの幅方向の一側縁部は前記頂面本体部の前記開口側の周縁部に沿って前記頂面本体部に取着され、前記スライドファスナーの幅方向の他側縁部は前記蓋部の周縁部に沿って前記蓋部に取着され、前記第３の線状体は前記頂面本体部の前記開口側の周縁部に沿い、かつ、前記湾曲部分に沿って前記頂面本体部に取着されている、収納用布製品であってもよい。
【００１３】
上記の収納用布製品は、前記蓋部の周縁部に沿い、かつ、前記湾曲部分に沿って第４の線状体が取着されている、収納用布製品であってもよい。上記の収納用布製品は、前記底面部、前記側面部及び前記頂面部を形成する前記布地の繊度は２０デニール以上、４２０デニール以下である、収納用布製品であってもよい。
【発明の効果】
【００１４】
本発明によれば、収納用布製品において、携帯性と形状保持性とを両立させることが可能となる。
【図面の簡単な説明】
【００１５】
【図１】実施の形態に係る収納用布製品の構成例を示す斜視図である。
【図２】実施の形態に係る収納用布製品の構成例を示す正面図である。
【図３】実施の形態に係る収納用布製品の構成例を示す側面図である。
【図４】実施の形態に係る収納用布製品の構成例を示す頂面図である。
【図５】実施の形態に係るスライドファスナーの構成例を示す模式図である。
【図６】実施の形態に係るスライドファスナーの構成例を示す部分断面図である。
【図７】実施の形態に係る側面高さ調整部の構成例を示す断面図である。
【発明を実施するための形態】
【００１６】
まず、本実施の形態に係る収納用布製品について説明する。本実施の形態では、収納用布製品の例としてダッフルバッグについて説明する。なお、本発明の収納用布製品は、ダッフルバッグに限定されるものでは無く、他の収納用布製品であってもよい。他の収納用布製品としては、例えばナップサック、リュックサック、スポーツバッグ、デイパックなどが挙げられる。
【００１７】
図１〜図４は実施の形態に係る収納用布製品１の構成例を示す斜視図、正面図、側面図、及び頂面図である。収納用布製品１のダッフルバッグは、折り畳んで携帯可能であるが、図１〜図４に示すように折り畳んだ状態から拡げた状態（本来の形体）にされて物品を収納可能である。収納用布製品１は、横倒しにされた略円筒形状を有しており、収納用布製品１の底面である底面部３、収納用布製品１の側面である側面部４、５、６、７、及び収納用布製品１の頂面である頂面部２を備えている。ここで、円筒を横倒しにして水平面に載置し、その水平面に対して平行かつ水平面からの高さが異なる二つの面で、その円筒を仮想的に三つに分割することを考える（分割は等分でなくて可）。そのとき、水平面に近いその円筒の下側の側面が底面部３に相当し、水平面から遠いその円筒の上側の側面が頂面部２に相当し、及び下側の側面と上側の側面との間のその円筒の二つの横側の側面が側面部６、７に相当する。また、側面部４、５はその円筒の底面部である。
【００１８】
底面部３は、略矩形形状を有する布地で形成されている。底面部３は、収納用布製品１の略円筒の側面の一部を構成する。したがって、底面部３の周縁部は、互いに対向する略直線状の二辺と、互いに対向する略円弧状の二辺から構成されている。底面部３は、底面部３の周縁部における互いに対向する略直線状の二辺に配置され、可塑性を有する線状体５３、５４（第１の線状体）を含んでいる。線状体５３、５４は、対面配置された二つの側面部４、５の一方から他方に向かう方向に延在するように、互いに底面部３の周縁における対向する二箇所（二辺）に取り付けられている。線状体５３、５４は可塑性、すなわち外力による変形後は概ねその形状を保持できる性質を有するので、底面部３を補強して、略円筒における側面の一部の形状を保持可能にすることができる。したがって、線状体５３、５４は収納用布製品１の骨格を構成していると見ることができる。本実施の形態では、底面部３と側面部６、７との接合部分に線状体５３、５４が、収納用布製品１の長手方向（側面部４−側面部５方向）に延在するように配置されている。ただし、線状体５３、５４の配置は一例であり、収納用布製品１の骨格を構成可能であれば、他の配置であってもよい。なお、底面部３は、線状体の代わりに又は線状体と共に他の補強治具、例えば底面部３と同形状の薄板曲面状のパッドを含んでいてもよい。
【００１９】
側面部６、７は、それぞれ略矩形形状を有する布地で形成されている。側面部６、７は、それぞれ収納用布製品１の略円筒の側面の一部を構成しており、底面部３の周縁における上記の対向する略直線状の二辺から頂面部２へ向かって湾曲しつつ立設するように底面部３に取り付けられている。側面部６、７には、底面部３から頂面部２に向かう高さ方向に延在するように側面高さ調整部６０がそれぞれ取り付けられている。側面高さ調整部６０は、側面部６、７を折り畳む又は引き伸ばすことで側面部６、７の高さを調整する、いわゆるアジャスターである。その詳細は後述される。本実施の形態では、側面部６、７の各々に、収納用布製品１の長手方向における側面部４と側面部５との間の略１／３、略２／３の位置にそれぞれ一箇所ずつ、合計二箇所に配置されている。なお、側面部６、７の各々において、収納用布製品１の長手方向における側面高さ調整部６０の位置及び個数は上記例に限定されるものでは無く、高さ方向に延在するように取り付けられていれば、他の位置や個数であってもよい。
【００２０】
側面部６、７は、それぞれ底面部３から頂面部２に向かう高さ方向に延在する、可塑性を有する複数の線状体５７（第２の線状体のうちの調整部線状体）を含んでいる。線状体５７は、側面高さ調整部６０に対向するように側面高さ調整部６０に沿って側面部６、７に取り付けられている。線状体５７は、側面高さ調整部６０が側面部６、７を折り畳む又は引き伸ばすことで折り畳まれ又は引き伸ばされるように構成されている。線状体５７は可塑性、すなわち外力による変形後は概ねその形状を保持できる性質を有するので、側面部６、７を補強して、略円筒における側面の一部の形状を保持可能にすることができる。したがって、線状体５７は収納用布製品１の骨格を構成していると見ることができる。本実施の形態では、側面部６、７の各々に、側面高さ調整部６０に対向するように、収納用布製品１の長手方向における側面部と側面部５との間の略１／３、略２／３の位置にそれぞれ一箇所ずつ、合計二箇所に配置されている。ただし、線状体５７の配置は一例であり、収納用布製品１の骨格を構成可能で、側面高さ調整部６０と対向するように取り付けられていれば、他の配置であってもよい。
【００２１】
側面部４、５は、それぞれ略円形状を有する布地で形成されている。側面部４、５は、それぞれ収納用布製品１の略円筒の底面を構成しており、底面部３の周縁の略円弧状の二辺から頂面部２へ向かって立設するように底面部３に取り付けられている。側面部４、５には、それぞれ側面部４、５の周縁部に沿って側面部４、５を囲むように延在する、可塑性を有する線状体５１、５２（第２の線状体）を含んでいる。線状体５１、５２は可塑性、すなわち外力による変形後は概ねその形状を保持できる性質を有するので、側面部４、５を補強して、略円筒における底面の形状を保持可能にすることができる。したがって、線状体５１、５２は収納用布製品１の骨格を構成していると見ることができる。本実施の形態では、側面部４、５と底面部３、側面部６、７及び頂面部２との接合部分に線状体５１、５２が、側面部４、５を囲むように配置されている。ただし、線状体５１、５２の配置は一例であり、収納用布製品１の骨格を構成可能であれば、他の配置であってもよい。なお、側面部４、５は、線状体の代わりに又は線状体と共に他の補強治具、例えば側面部４、５と同形状の薄板状のパッドを含んでいてもよい。また、側面部４、５の少なくとも一方は、持ち手２０を備えている。本実施の形態では、側面部４、５の両方が、持ち手２０を備えている。
【００２２】
頂面部２は、略矩形形状を有する布地で形成されている。頂面部２は、収納用布製品１の略円筒の側面の一部を構成する。したがって、頂面部２の周縁部は、互いに対向する略直線状の二辺と、互いに対向する略円弧状の二辺から構成されている。そして、頂面部２と側面部６、７と底面部３とにより収納用布製品１の略円筒の側面全体が構成される。頂面部２は、後述されるように開口とその開口を覆う蓋部を含んでいるが、その開口の周囲に配置され、可塑性を有する線状体５０（第３の線状体）を含んでいる。線状体５０は可塑性、すなわち外力による変形後は概ねその形状を保持できる性質を有するので、頂面部２を補強して、略矩形形状を保持可能にすることができる。したがって、線状体５０は収納用布製品１の骨格を構成していると見ることができる。ただし、線状体５０の配置は一例であり、収納用布製品１の骨格を構成可能であれば、他の配置であってもよい。なお、頂面部２は、線状体の代わりに又は線状体と共に他の補強治具、例えば頂面部２と同形状の薄板曲面状のパッドを含んでいてもよい。また、頂面部２には、収納用布製品１を背負うための肩紐４０が設けられている（ただし、図２〜図４では肩紐４０の記載を省略している）。
【００２３】
収納用布製品１の骨格として含まれる線状体５１〜５４、５７の塑性変形後の剛性がより強い場合には、収納用布製品１の底面部３を底面として水平面上に立たせたとき、形体保持性の更なる効果として収納用布製品１は自立することができる。そのような剛性は、側面部４〜７や頂面部２の布地の材質や線状体５１〜５４、５７の形状などにより適宜実験的に決定される。収納用布製品１の骨格として含まれる線状体５０の塑性変形後の剛性がより強い場合には、収納用布製品１の自立をより安定化することができる。
【００２４】
なお、本実施の形態では、収納用布製品１は略円筒形状を有しているが、本発明はその例に限定されるものでは無く、従来知られた公知の他の形状を有していてもよい。他の形状としては、例えば、略直方体形状、略角錐台形状、略円錐台形状、略多角筒形状、略楕円体形状などが挙げられる。
【００２５】
また、収納用布製品１の底面部３、側面部４、５、６、７、及び頂面部２の布地やスライドファスナーなどの材料同士の接合は、縫合や接着や融着などの布製品において従来から用いられている公知の方法を用いることができる。また、底面部３、側面部４、５、６、７、及び頂面部２の各々は、それぞれ別々に形成され、その後にそれらが互いに接合されて収納用布製品１を形成してもよいし、そのいくつか（全体又は一部）がまとめられて一体に形成され、その後にそれらが互いに接合されて収納用布製品１を形成してもよい。
【００２６】
図５及び図６は実施の形態に係る頂面部２におけるスライドファスナーの構成例を示す模式図及び部分断面図である。図５は蓋部２ｂを半分開いた状態を部分的に示し、図６は図４のＶＩ−ＶＩ’断面（スライドファスナー１１を閉じた状態）を示している。
【００２７】
図５に示すように、頂面部２は、開口１０を有する頂面本体部２ａと、開口１０を覆う蓋部２ｂと、頂面本体部２ａと蓋部２ｂとの間に取着されたスライドファスナー１１とを含んでいる。開口１０は略矩形状を有しており、頂面本体部２ａは開口１０の外側の三方を囲むように枠状に形成されている。蓋部２ｂは、開口１０に対応して略矩形形状に形成されている。本実施の形態では、開口１０及び蓋部２ｂの隣接する二つの角部は丸みを帯びており、スライドファスナー１１はその二つの角部を含む三辺に沿って配置されている。なお、頂面本体部２ａは開口１０の外側の四方を囲む枠状に形成されていてもよい。
【００２８】
スライドファスナー１１は、本実施の形態では、一対のファスナーテープ１１ｂ１、１１ｂ２と、一対のファスナーテープ１１ｂ１、１１ｂ２の対向するテープ側縁部に取着された一対のエレメント列１１ａ１、１１ａ２と、一対のエレメント列１１ａ１、１１ａ２に挿通されたスライダー１１ｓ１、１１ｓ２とを含んでいる。すなわち、本実施の形態では、二個のスライダー１１ｓ１、１１ｓ２が付いた止製品であって、二個のスライダー１１ｓ１、１１ｓ２の頭と頭が向かい合う頭合わせ型のスライドファスナーを用いている。
【００２９】
なお、本発明のスライドファスナー１１はこの例に限定されるものでは無く、収納用布製品１の特徴やデザインなどに基づいて他のタイプであってもよい。他のタイプとしては、一個のスライダーの止製品、開製品、二個のスライダーの逆開製品型、尻合わせ型、ループファスナー型などが挙げられる。また、スライドファスナー１１の種類としては、金属ファスナー、樹脂ファスナー、ビスロンファスナーが挙げられる。
【００３０】
スライドファスナー１１における幅方向の一側縁部、すなわちファスナーテープ１１ｂ１の外側のテープ側縁部は、頂面部２における頂面本体部２ａの開口１０側の周縁部に沿って頂面本体部２ａに取着されている。一方、スライドファスナー１１における幅方向の他側縁部、すなわちファスナーテープ１１ｂ２の外側のテープ側縁部は、頂面部２における蓋部２ｂの周縁部に沿って蓋部２ｂに取着されている。したがって、スライドファスナー１１は、頂面部２における頂面本体部２ａの開口１０側の周縁部に沿って延在しているということができ、また頂面部２における蓋部２ｂの周縁部に沿って延在しているということもできる。ただし、頂面本体部２ａの開口１０側の周縁部及び蓋部２ｂの周縁部は、周縁の端だけでなく端から所定の幅を有する範囲を示す。例えば頂面本体部２ａの周縁部では頂面部２の幅（対象となる端の近傍の周縁から垂直な方向の幅）の１０％程度の幅の範囲であり、蓋部２ｂの周縁部では蓋部２ｂの幅（対象となる端の近傍の周縁から垂直な方向の幅）の１０％程度の幅の範囲である。
【００３１】
スライドファスナー１１は、本実施の形態では、開口１０における丸みを帯びた隣接する二つの角部を含む三辺に沿って略Ｕ字型形状に配置されている。そのとき、スライドファスナー１１の長手方向の一端部１１Ｅ１と他端部１１Ｅ２（図示されず）との間に湾曲部分１１Ｃ１、直線部分１１Ｄ、及び湾曲部分１１Ｃ２（図示されず）をこの順に有している。湾曲部分１１Ｃ１、１１Ｃ２は、開口１０における丸みを帯びた隣接する二つの角部の位置に対応している。
【００３２】
頂面部２は、更に、頂面本体部２ａ、蓋部２ｂ、及びスライドファスナー１１の少なくとも一つに取着された、可塑性を有する線状体５０を備えている。線状体５０は、スライドファスナー１１の湾曲部分１１Ｃに沿って延在している。線状体５０は可塑性、すなわち外力による変形後は概ねその形状を保持できる性質を有するので、頂面本体部２ａ及びスライドファスナー１１を補強して、それらの形状を保持可能にすることができる。本実施の形態では、線状体５０は、頂面本体部２ａの開口１０側の周縁部に沿って取着されている。線状体５０は、スライドファスナー１１に沿って、一端部１１Ｅ１から湾曲部分１１Ｃ１、直線部分１１Ｄ、及び湾曲部分１１Ｃ２を介して他端部１１Ｅ２まで延在している。なお、線状体は、更に、頂面部２における蓋部２ｂの周縁部に沿って取着されていてもよい（第４の線状体）。言い換えると、スライドファスナー１１の両側に線状体（第３の線状体及び第４の線状体）が配置されていてもよい。その場合、頂面本体部２ａ及びスライドファスナー１１をより強く補強して、延いては頂面部２をより強く補強して、それらの形状をより強力に保持可能にすることができる。
【００３３】
図６に示すように、本実施の形態では、頂面部２の頂面本体部２ａの周縁部と、スライドファスナー１１のファスナーテープ１１ｂ１における外縁端部と、裏地８０の周縁部と、線状体５０とが重ね合わされ、例えば縫合されることにより、互いに接合されている。一方、スライドファスナー１１のファスナーテープ１１ｂ２における外縁端部と、頂面部２の蓋部２ｂの周縁部とが重ね合わされ、例えば縫合されることにより、互いに接合されている。したがって、線状体５０は、スライドファスナー１１に沿って、一端部１１Ｅ１から湾曲部分１１Ｃ１、１１Ｃ２を介して他端部１１Ｅ２まで延在している。そして、線状体５０は、裏地８０を介してスライドファスナー１１と重なり合うように頂面本体部２ａに取着され、それにより線状体５０とスライドファスナー１１とがほぼ一体的に構成されている。このように、線状体５０とスライドファスナー１１とが一体的に構成されているため、線状体５０により、より確実にスライドファスナー１１の形状を保持することができる。
【００３４】
なお、本実施の形態では、開口及び蓋部とそれらに伴うスライドファスナー１１及び線状体５０は頂面部２に形成されているが、本発明はその例に限定されるものでは無く、収納用布製品１の特徴やデザインなどに応じて側面部４〜７に形成されていてもよい。言い換えると、開口及び蓋部などは、収納用布製品１の底面部３を除いた外側の面である側面部４〜７のいずれか、すなわち外面部に形成されている、ということができる。また、開口及び蓋部などは、複数形成されていてもよい。
【００３５】
図７は、実施の形態に係る側面高さ調整部６０の構成例を示す断面図である。図７（Ａ）は側面部６の高さを高くした状態を示し、図７（Ｂ）は側面部６の高さ低くした状態を示している。ここでは側面部６の一つの側面高さ調整部６０について説明するが、側面部６の他の側面高さ調整部６０及び側面部７の側面高さ調整部６０についても同様である。
【００３６】
図７（Ａ）に示すように、側面高さ調整部６０は、側面部６の表側に、高さ方向に延在するように配置されており、第１の紐状部材６２と、連結部材６５と、第２の紐状部材６３とを備えている。第１の紐状部材６２は、側面部６における下部にその一端部６２ｂが取り付けられている。連結部材６５は、第１の紐状部材６２の一端部６２ｂと他端部６２ａとの間に、第１の紐状部材６２の長さ方向に対して位置調整自在に取り付けられている。すなわち第１の紐状部材６２は連結部材６５に挿通されており、その他端部６２ａは固定されず自由端となっている。一方、第２の紐状部材６３は、側面部６における上部にその一端部６３ａが取り付けられ、側面部６の上部と連結部材６５との距離を一定に保持している。このとき、第２の紐状部材６３は連結部材６５に挿通され、その他端部６３ｂは例えば一端部６３ａと同じく側面部６の上部に取り付けられている。したがって、側面高さ調整部６０は、第１の紐状部材６２の一端部６２ｂ及び第２の紐状部材６３の一端部６３ａ（及び他端部６３ｂ）のみで側面部６に接合され、第１の紐状部材６２及び第２の紐状部材６３の他の部分及び連結部材６５とは接合されていない。なお、側面高さ調整部６０の側面部６への取り付け方向としては、上記方法に限定されるものではない。例えば、高さ方向の上下が逆に、すなわち側面部６の上部に第１の紐状部材６２の一端部６２ｂが取り付けられ、側面部６の下部に第２の紐状部材６３の一端部６３ａが取り付けられていてもよい。
【００３７】
一方、線状体（調整部線状体）５７は、側面部６の表側に配置された側面高さ調整部６０に対向するように、側面部６の裏側に高さ方向に延在するように配置されている。線状体５７は、少なくともその両端が、側面部６の裏側における第１の紐状部材６２の一端部６２ｂ及び第２の紐状部材６３の一端部６３ａに対応する位置に接合されている。本実施の形態では、線状体５７の全体が側面部６の裏側に接合されている。線状体５７とほぼ同じ形状を有する配置用部材６４が、側面部６の表側に高さ方向に延在するように配置されており、線状体５７が例えば縫合により側面部６を介して配置用部材６４と重なり合うように接合されることにより、側面部６に取り付けられている。
【００３８】
このような側面高さ調整部６０では、図７（Ａ）の状態で、連結部材６５を例えば使用者の指などで固定しつつ、第１の紐状部材６２の他端部６２ａを例えば使用者の指などで引っ張ることで、第１の紐状部材６２の一端部６２ｂが連結部材６５に近づいて、第１の紐状部材６２の一端部６２ｂが第２の紐状部材６３の一端部６３ａに近づいて側面部６が折り畳まれて高さが低くなる。この側面高さ調整部６０の変化に伴い、その変化と同時かつ必然的に、線状体５７が折り畳まれる。すなわち図７（Ｂ）の状態になる。一方、図７（Ｂ）の状態で、連結部材６５を例えば使用者の指などで固定しつつ、第１の紐状部材６２の一端部６２ｂを例えば使用者の指などで引っ張ることで、第１の紐状部材６２の一端部６２ｂが連結部材６５から遠ざかり、第１の紐状部材６２の一端部６２ｂが第２の紐状部材６３の一端部６３ａから遠ざかり側面部６が引き伸ばされて高さが高くなる。この側面高さ調整部６０の変化に伴い、その変化と同時かつ必然的に、線状体５７は引き伸ばされる。すなわち図７（Ａ）の状態になる。それにより、線状体５７は概ねその形状を保持することにより、側面部６、７を補強して、略円筒における側面の一部の形状を保持可能にすることができる。
【００３９】
線状体５０〜５４、５７は、外力（例示：使用者が収納用布製品を拡げようとする力）による変形後は概ねその形状を保持できる性質、すなわち可塑性を有する線状の部材である。各線状体の材料としては、可塑性を有していれば特に制限はないが、樹脂が好ましい。これにより、各線状体は、さびや金属疲労により折れることがない。樹脂製の線状体としては、例えば、特開昭６１−２８２４１６号公報に開示のポリエチレンを圧縮延伸したプラスチックワイヤー、特開平２−２９３４０７号公報に開示のポリオレフィンを圧縮延伸したプラスチックワイヤー、特開平７−２３８４１７号公報に開示のポリエチレン溶融固化物又はそのポリエチレンと他のポリオレフィンとの混合溶解固化物を延伸して可塑性が付与された延伸物が挙げられる。可塑性が高いことから、線状体は、ポリオレフィンを主成分とする樹脂からなることが好ましい。
【００４０】
収納用布製品１の底面部３、側面部４〜７、及び頂面部２の布地の材料としては、特に制限はなく、収納用布製品に使用可能な公知の材料を用いることができる。例えば、それらの布地の材料としては、強度が高く軽量であるナイロン及びポリエステルなどの合成繊維が挙げられる。軽量で柔らかく折り畳み易いという携帯性を高める観点では、それらの布地の繊度は、２０デニール以上、４２０デニール以下であることが好ましく、３０デニール以上、２１０デニール以下であることがより好ましい。繊度が低過ぎると布地の強度が十分に得られなくなり、繊度が高過ぎると重さや折り畳み難くさにより、携帯し難くなるからである。
【００４１】
上記の一実施の形態に係る収納用布製品１は、次のような作用効果を奏する。
（１）上記構成を有する収納用布製品１では、布地や線状体（第１の線状体）５１〜５４、線状体（第２の線状体）５７などの材料が軽量であり、布地などは柔らかいため、収納用布製品１を小さく折り畳んで仕舞うことで携帯することが可能である。また、線状体５１〜５４、５７を、底面部３における少なくとも互いに対向する二箇所及び側面部に取り付けている。そのため、例えば小さく折り畳んで仕舞っていた収納用布製品１を本来の形状に拡げて、底面部３及び側面部４〜７を本来の形状に戻したとき、それに伴って同時に必然的に、線状体５１〜５４、５７も本来の形状に戻ることができ、塑性変形により本来の形状を保持し続けることができる。それにより、線状体５１〜５４、５７の周囲、すなわち底面部３及び側面部４〜７の布地を本来の形状に保持することができ、すなわち収納用布製品１を概ね本来の形状に保持することができる。このように、本収納用布製品１では、収納用布製品１が軽量で折り畳み容易なことによる携帯性と、収納用布製品１の使用時に折り畳んだ状態から拡げたときの形状が線状体で保持される形状保持性と、を両立させることができる。
【００４２】
また、布地などの材料が柔らかい収納用布製品１では、収納用布製品１に収納された物品量が少ないと、下方に垂れ下がる箇所が発生するなど全体的に型崩れを起こして持ち運び難くなるおそれがある。しかし、上記構成を有する収納用布製品１では、線状体５１〜５４、５７が底面部３や側面部４〜７を本来の形状に保持することができるので、収納用布製品１に収納された物品量に拘らず、収納用布製品１を、型崩れを起こさないようにすることができる。それにより、収納用布製品１に収納された物品量に拘らず、収納用布製品１を持ち運び易い状態で維持することが可能となる。
【００４３】
（２）上記構成を有する収納用布製品１は、側面高さ調整部６０（いわゆるアジャスター）により、側面部６、７を、折り畳まれた状態（高さの低い状態）から引き伸ばされた状態（高さの高い状態）に変更でき、それに伴って、側面部６、７の線状体（調整部線状体）５７を折り畳まれた状態から引き伸ばされた状態に変更できるように構成されている。すなわち、側面部６、７の高さを変更することで、追加の動作を行うことなく、その変更と同時かつ必然的に、線状体５７を、側面部６、７の高さに対応した、引き伸ばされた状態にすることが可能である。そのような線状体５７により、側面部６、７は形状を保持することができる。したがって、収納用布製品１における線状体５７による側面部６、７の形状の保持と側面高さ調整部６０による側面部６、７の高さ調整とを、側面高さ調整部６０での一つの動作で同時に達成することが可能となる。
【００４４】
（３）上記構成を有する収納用布製品１では、側面高さ調整部６０の連結部材６５を固定しつつ第１の紐状部材６２の一端部６２ｂを引っ張ることで、第１の紐状部材６２における一端部６２ｂと連結部材６５の取り付け部分との間の長さを長くして、側面部６、７を引き伸ばして本来の高さに戻す、すなわち側面部６、７の高さが高い状態にする。そのとき、側面高さ調整部６０に対応する線状体５７も同様に引き伸ばされるので、追加の動作を行うことなく、同時に必然的に線状体５７を本来の長さに戻す、すなわち長くできる。したがって、第１の紐状部材６２の一端部６２ｂを引っ張るという極めて簡単な一つの動作により、線状体５７による側面部６、７の形状の保持と側面高さ調整部６０による側面部６、７の高さ調整とを同時に達成することが可能となる。
【００４５】
（４）上記構成を有する収納用布製品１では、線状体（第３の線状体）５０が、頂面本体部２ａの開口１０側の周縁部に沿い、かつ、スライドファスナー１１の一端部１１Ｅ１から他端部１１Ｅ２まで延在するように頂面本体部２ａに取着されている。そのため、例えば折り畳んでいた収納用布製品１を本来の形状に拡げて、スライドファスナー１１を本来の形状に戻したとき、それに伴って同時に必然的に、線状体５０もスライドファスナー１１の形状に沿った本来の形状に戻ることができる。本来の形状に戻った線状体５０は、塑性変形により本来の形状を保持し続けることができる。それにより、線状体５０の周辺、すなわちスライドファスナー１１を本来の形状に保持できるので、スライドファスナー１１が付属する頂面部２を概ね本来の形状に保持することができる。また、それと共に、スライドファスナー１１を開閉するとき、スライドファスナー１１の変形が抑制されて、スライドファスナー１１を容易に開閉することができる。
【００４６】
（５）上記構成を有する収納用布製品１では、スライドファスナー１１の両側に線状体５０及び他の線状体（第４の線状体）が配置されている場合、線状体５０及び他の線状体による形状の保持の効果、特にスライドファスナー１１付近の形状の保持の効果をより向上できる。
【００４７】
（６）上記構成を有する収納用布製品１では、布地の繊度は２０デニール以上、４２０デニール以下であることが好ましい。このような繊度を有する布地は極めて柔らかくしなやかなので、収納用布製品１としての携帯性をより高めることができる。
【実施例】
【００４８】
（実施例１）
何も収容していない上述された収納用布製品１（ダッフルバッグ）を折り畳んだ後、再び拡げて図１〜図４に示す本来の形状にした。そうすると、その収納用布製品１はほとんど型崩れせず概ねその形状が保持された。また、その収納用布製品１を持ち手２０で持ち上げたり、肩紐４０で背負ったりしたところ、物品の量が少ないにもかかわらず、ほとんど型崩れせず持ち運びが容易であった。
【００４９】
（比較例１）
上述された収納用布製品１と同一の形状であるが線状体を全く備えておらず、何も収容していないダッフルバッグを折り畳んだ後、再び拡げた。しかし、そのダッフルバッグは型崩れして側面部の布地が萎れて底面部側に折り重なったままであった。また、そのダッフルバッグを持ち手で持ち上げたり、肩紐で背負ったりしたところ、全体として持ち手や肩紐以外の部分が垂れ下がり、全体として型崩れして、その影響で持ち運び難かった。
【００５０】
以上の説明はあくまで一例であり、本発明は上記実施形態の構成になんら限定されるものではない。
【符号の説明】
【００５１】
１    収納用布製品
２    頂面部
２ａ    頂面本体部
２ｂ    蓋部
３    底面部
４、５、６、７    側面部
１０    開口
１１    スライドファスナー
５０、５１、５２、５３、５４、５７    線状体
【図１】
2017124010.tif 000003
【図２】
2017124010.tif 000004
【図３】
2017124010.tif 000005
【図４】
2017124010.tif 000006
【図５】
2017124010.tif 000007
【図６】
2017124010.tif 000008
【図７】
2017124010.tif 000009